(57)【特許請求の範囲】
【請求項１】
記録ヘッドと、
前記記録ヘッドを駆動する電圧を生成する生成手段と、
前記生成手段と前記記録ヘッドをつなぐ経路に接続され、前記記録ヘッドの電圧を安定化させるためのコンデンサと、
前記経路に設けられ、前記記録ヘッドに前記電圧が印加されない第１状態と前記記録ヘッドに前記電圧が印加される第２状態とを切換える切換手段と、
前記第１状態から前記第２状態に切換える前に、前記コンデンサを充電するための充電手段と、を備えることを特徴とする記録装置。
【請求項２】
前記記録装置は、更に、
前記コンデンサを放電する放電手段と、
前記充電手段によって充電が行われた後、前記コンデンサの電圧を検出する検出手段と、を備え、
前記検出手段によって検出された検出電圧が前記生成手段によって生成された電圧より低い所定電圧以上の場合に前記切換手段は前記第１状態から前記第２状態に切換え、前記検出電圧が前記所定電圧より低い場合に前記放電手段は放電を行う、ことを特徴とする請求項１に記載の記録装置。
【請求項３】
前記記録装置は、更に、
前記検出電圧が前記所定電圧以上の場合に前記切換手段を前記第１状態から前記第２状態に切換え、前記検出電圧が前記所定電圧より低い場合に前記放電手段の放電を行う制御手段を備えることを特徴とする請求項１または２に記載された記録装置。
【請求項４】
前記記録装置は、更に、前記充電手段から前記コンデンサへ供給する電流を制限する制限手段を備えることを特徴とする請求項１乃至３のいずれか１項に記載された記録装置。
【請求項５】
前記記録装置は、前記生成手段で生成された電圧を入力し、前記充電手段及び前記放電手段として動作するプッシュプル回路を備えることを特徴とする請求項１乃至４のいずれか１項に記載された記録装置。
【請求項６】
前記切換手段は、前記経路に設けられ、前記制御手段から出力される第２の信号に基づいて前記生成手段によって生成された電圧の印加のオン／オフするＦＥＴを有することを特徴とする請求項１乃至５のいずれか１項に記載された記録装置。
【発明の詳細な説明】
【技術分野】
【０００１】
本発明は記録装置に関するものであり、特に記録ヘッドへの電力供給のオン・オフを制御する手段を備えた、記録装置に関するものである。
【背景技術】
【０００２】
現在におけるインクジェット記録装置は、多数のインクジェットノズルを備えたインクジェットヘッドを搭載し、記録する内容に応じてインクを吐出するノズルを選択する。このような記録装置においては、記録内容に応じて同時に駆動するノズル数が変化し、記録ヘッドが消費する電力も大きく変化する。このため記録ヘッドの消費電力は、平均的な消費電力に比べて瞬間的に消費する電力がかなり大きくなる。当然ながら記録ヘッドに電力を供給する電源は、記録ヘッドの消費電力を上回る電力供給能力を備えていることが必要となる。
【０００３】
最近の記録装置は、より高速でより高精細な記録を実現するために、ノズル数を増やしたり、駆動速度を上げる傾向にあり、動作時の消費電力も増加する傾向にある。一般的な家庭用の安価なインクジェットプリンタにおいても動作中の消費電力が瞬間的には２０Ｗを越すものも珍しくなく、電源にはそれ以上の電力容量が求められる。
【０００４】
同時に駆動するノズル数が変化しても吐出特性が変わらないように、記録ヘッドを安定的に駆動するためには、電気的負荷が変動しても電源電圧の変動が少ない低インピーダンスの出力特性が電源に求められる。
【０００５】
民生機器などの比較的安価な電子機器で使用する電源回路において、電源出力の負荷電流の変化などを検出する方法として、電流が流れる経路に抵抗を挿入し、抵抗による電圧降下を測定する方法が一般的である。しかしながら、電気的負荷が変動しても電源電圧が極力変化しないような低インピーダンスの電源が求められる場合、電気経路の途中に抵抗成分を入れることは好ましくない。電源出力の負荷電流を検出しようとすると高価な検出回路が必要となり、機器のコストを上昇させてしまうという問題があった。
【０００６】
従来の記録装置においては、記録ヘッドが記録装置本体に非装着の状態であるときは、記録ヘッドへの電力の供給を停止する制御を行なっているものが知られている。記録ヘッドへの電力供給のオン・オフを制御する手段を備えることによって、記録ヘッド装着時のショートなどによる、ヘッドへの不要な負荷電流をかけない制御を行なっている。
【先行技術文献】
【特許文献】
【０００７】
【特許文献１】特開平８−９０８７１号公報
【発明の概要】
【発明が解決しようとする課題】
【０００８】
しかしながら、記録ヘッドへの電力供給のオン・オフを制御する手段を備えたことにより、ヘッドの装着後電力供給をオンするときに、記録ヘッドへの突入電力が発生することがあった。この突入電流は短時間に大きな電流が流れるため、電気的なノイズが発生して回路が誤動作する恐れが生じるという問題があった。近年のＦＥＴはオン抵抗が小さい上に応答速度も速くスイッチング用素子として優れた特性を示す。特許文献１の図３に示すように、記録ヘッドへの電力供給のスイッチング用素子をＦＥＴで構成した場合、スイッチング特性がオンの時に突入電流を増加させ、ノイズによる誤動作が生じるという可能性があった。
【０００９】
特許文献１の構成では、記録ヘッドが非装着か否かを検知する手段を設け、記録ヘッドが非装着の時には、記録ヘッドへの電力供給を停止する構成をとっている。
【００１０】
しかしながら、記録ヘッドの装着時、記録ヘッドへの電力供給をオンする際に、記録ヘッドの故障や劣化等による、記録ヘッド自体の電気的ショート等の問題が発生したときには、それを検出して記録ヘッドへの電力の供給を停止することは不可能であった。
【００１１】
このような場合、記録ヘッドへの電源電圧ＨＶＨとヘッド間（ヘッド内部も含む）がショート状態となり、ヘッド内の回路における抵抗値が０Ω〜数Ωとなってしまうような場合を説明する。このようなショート状態になると、電源が短時間のうちに過負荷状態となるため、電源の過負荷保護機能が働き、電源がシャットダウンする。電源の供給が短時間で停止するため、昇温などの問題が発生する可能性は少ない。
【００１２】
これに対して、ヘッド内の回路の抵抗値が数Ω〜数百Ωとなるような中途半端なショート状態が生じる場合もある。このようなショート状態では、ショートにより発生したヘッド内の過電流は少なく、通常のヘッド駆動でも流れる程度の電流が流れ続けることになる。つまり、異常電流によって数Ｗ程度の電力が余分に消費されるような状態になる。電源の電力供給能力からすれば、数Ｗ程度の電力増加であれば、記録ヘッドは問題なく動作し続けることが可能である。しかしながら、数Ｗ程度であっても長時間にわたって異常な電力が消費され続けた場合は、昇温状態になり、他の部品への二次的な影響が生じる可能性があった。
【００１３】
本発明は上記課題に鑑みてなされたものである。本発明の第一の目的は、記録ヘッドへの電力供給をオンする時の突入電流を低減し、電源電圧の急激な変動を防止することのできる記録装置を提供することである。
【００１４】
また、本発明の第二の目的は、記録ヘッドへの電力供給をオンする際、記録ヘッドがショート状態となっていた場合、記録ヘッドへの電力供給を停止することが可能な記録装置を提供することである。
【課題を解決するための手段】
【００１５】
上記課題を解決するために本発明は、記録ヘッドと、前記記録ヘッドを駆動する電圧を生成する生成手段と、前記生成手段と前記記録ヘッドをつなぐ経路に接続され、前記記録ヘッドの電圧を安定化させるためのコンデンサと、前記経路に設けられ、前記記録ヘッドに前記電圧が印加されない第１状態と前記記録ヘッドに前記電圧が印加される第２状態とを切換える切換手段と、前記第１状態から前記第２状態に切換える前に、前記コンデンサを充電するための充電手段と、を備えることを特徴とする。
【発明の効果】
【００１６】
以上説明したように、本発明によれば、記録ヘッドへの電力供給をオンする時の突入電流を低減し、電源電圧の急激な変動を防止することのできる記録装置を提供することができる。また、記録ヘッドへの電力供給をオンする際、記録ヘッドがショート状態となっていた場合、記録ヘッドへの電力供給を停止することが可能な記録装置を提供することができる。
【図面の簡単な説明】
【００１７】
【図１】第１の実施例の記録装置の構成の概要を示す外観斜視図
【図２】第１の実施例の記録装置における制御回路の主要構成を示すブロック図
【図３】記録ヘッドへの電力供給動作を示すフローチャート図
【図４】記録ヘッドへの電力供給動作を示すタイミングチャート図
【図５】ショート時の記録ヘッドへの電力供給動作を示すタイミングチャート図
【図６】第２の実施例の記録装置の構成を示す斜視図
【図７】第２の実施例のバッテリケースの斜視図
【発明を実施するための形態】
【００１８】
以下、本発明の第１の実施形態について図面を参照して説明する。
【００１９】
図１は本発明の代表的な実施形態であるインクジェット記録装置１の構成の概要を示す外観斜視図である。
【００２０】
インクジェット記録装置１は、記録ヘッド３を搭載したキャリッジ２にキャリッジモータＭ１の駆動力を伝え、キャリッジ２を矢印Ａ方向に往復移動させる。これとともに、記録媒体Ｐを記録位置まで搬送し、この記録位置において記録ヘッド３から記録媒体Ｐにインクを吐出することで記録を行なう。
【００２１】
キャリッジには記録ヘッド３を搭載するのみならず、記録ヘッドに供給するインクを貯留するインクカートリッジ４が装着される。インクカートリッジ４はキャリッジ２に対して着脱自在になっている。
【００２２】
図１に示した記録装置１はカラー記録が可能であり、そのためにキャリッジ２にはマゼンタ（Ｍ）、シアン（Ｃ）、イエロ（Ｙ）、ブラック（Ｋ）のインクを夫々、収容した４つのインクカートリッジを搭載している。これら４つのインクカートリッジは夫々独立に着脱可能である。
【００２３】
キャリッジ２と記録ヘッド３とは、両部材の接合面が適正に接触されて所要の電気的接続を達成維持できるようになっている。記録ヘッド３は、記録信号に応じてエネルギーを印加することにより、複数の吐出口からインクを選択的に吐出して記録する。特に、この実施形態の記録ヘッド３は、熱エネルギーを利用してインクを吐出するインクジェット方式を採用し、熱エネルギーを発生するために電気熱変換体を備えている。電気熱変換体に印加される電気エネルギーが熱エネルギーへと変換され、その熱エネルギーをインクに与えることにより生じる膜沸騰による気泡の成長、収縮によって生じる圧力変化を利用して、吐出口よりインクを吐出させる。この電気熱変換体は各吐出口のそれぞれに対応して設けられ、記録信号に応じて対応する電気熱変換体にパルス電圧を印加することによって対応する吐出口からインクを吐出する。
【００２４】
図２は記録装置１の制御回路の主要構成を示すブロック図である。図２において、１０１はヘッド３を駆動するヘッド電源電圧２４Ｖを生成する電源部、１０２は記録装置全体を制御するためのＣＰＵ、１０３は記録ヘッド３へのヘッド電源電圧の供給をオン・オフするためのスイッチング用ＦＥＴである。スイッチング用ＦＥＴは、電源部と記録ヘッドをつなぐ経路上に設けられ、電源部から記録ヘッドへの電力供給切換手段として作用し、電源電圧の供給オン・オフを制御する。１０４はスイッチング用ＦＥＴ１０３をオン・オフするためのトランジスタ、１０５はヘッド電源電圧を安定させるための電解コンデンサである。１０６は電解コンデンサ１０５を充電するためのトランジスタ、１０７は電解コンデンサ１０５を放電するためのトランジスタである。電源部１０１、スイッチング用ＦＥＴ１０３、記録ヘッド３および電解コンデンサ１０５により構成される回路を、電力供給回路として説明する。１０８はトランジスタ１０６とトランジスタ１０７で構成されるプッシュプル回路、１０９は電解コンデンサ１０５への充放電電流を抑制するための抵抗、１１０はプッシュプル回路１０８のオン・オフを制御するためのトランジスタである。１１１はトランジスタ１１０をオン・オフするためのトランジスタ、１１２と１１３はヘッド電源電圧を分圧するための抵抗である。抵抗１１２と１１３は抵抗１０９に比べて十分に大きな値であり、プッシュプル回路１０８と抵抗１０９による充放電動作にほとんど影響を与えない。なお、トランジスタ１０４、１１０および１１１は抵抗内蔵トランジスタである。
【００２５】
電源１０１はヘッド電源電圧として２４Ｖを出力する。ＣＰＵ１０２は記録装置１がオフ状態や待機状態にあるときは、出力ポートＰＯ１およびＰＯ２を“Ｌ”レベルにしている。そのとき、トランジスタ１０４とスイッチング用ＦＥＴ１０３はオフ状態であり、記録ヘッド３にヘッド電源電圧は印加されない。また、出力ポートＰＯ１が“Ｌ”レベルにあるため、トランジスタ１１１および１１０もオフ状態であり、プッシュプル回路１０８の入力に電圧は印加されない。ここで、ＰＩ１は、ＣＰＵ１０２への入力ポートである。電源電圧が２４Ｖであるのに対して、ＣＰＵ１０２への入力電圧は３．３Ｖ程度の電圧になっている。
【００２６】
プッシュプル回路１０８は、回路への入力電圧が、回路からの出力電圧よりも高いときは電流を流し出そうとし、回路への入力電圧が、回路からの出力電圧より低いときには電流を吸い込もうとする。本発明では、記録装置１がオフ状態や待機状態にあるとき、プッシュプル回路１０８は入出力のどちらにも電圧が印加されていない状態となるため、プッシュプル回路１０８には電流は流れない。プッシュプル回路は、後述するコンデンサへの充電・放電を調整することによって、記録ヘッドへの電力供給調整回路として機能する。
【００２７】
図３は、記録装置１が記録ヘッド３への電力供給をオンするときのＣＰＵ１０２による電力制御動作を示すフローチャート図である。図３を用いて記録ヘッド３への電力供給の制御動作を説明する。
【００２８】
記録装置１が記録動作を実行するとき、ＣＰＵ１０２はＳ１において出力ポートＰＯ１を“Ｈ”レベルにして、トランジスタ１１１および１１０をオン状態にする。この状態で、電源部からの電圧２４Ｖがプッシュプル回路へと電圧入力可能な状態になる。プッシュプル回路１０８の入力部に、ヘッド電源電圧の２４Ｖが印加されるため、プッシュプル回路１０８は電流を流し出そうとする。ただし抵抗１０９によって、プッシュプル回路からの出力電流（ヘッドへの供給電圧）が制限されるため、ヘッド電源電圧ＨＶＨは抵抗１０９（Ｒ）と、電解コンデンサ１０５（Ｃ）によって規定される時定数（ＲＣ）で立ち上がる。
【００２９】
ＣＰＵ１０２は、Ｓ２において所定時間待機する。この所定時間とは、コンデンサ１０５が徐々に充電され、ＨＶＨとして、２４Ｖ近くになる状態に要する時間に相当する。次にＣＰＵ１０２はＳ３においてヘッド電源電圧ＨＶＨがほぼ立ち上がった時に、入力ポートＰＩ１で、信号ＶＨ＿ＳＮＳのレベルを読み取る。入力ポートＰＩ１は、ＣＰＵ１０２への入力ポートである。電源１０２の電圧が２４Ｖであるのに対して、ＣＰＵ１０２への入力電圧は３．３Ｖ程度の入力電圧にする必要がある。よって、信号ＶＨ＿ＳＮＳはヘッド電源電圧ＨＶＨが２４Ｖ近くまで上昇したときに、ＣＰＵ１０２への入力電圧値３．３Ｖで“Ｈ”レベルとなるよう、分圧抵抗１１２と１１３で調整されている。ＣＰＵ１０２への入力電圧は、予め定められた入力電圧値である。
【００３０】
ＣＰＵ１０２はＳ３において入力ポートＰＩ１が“Ｈ”レベルであれば、Ｓ４において出力ポートＰＯ２を“Ｈ”レベルにする。トランジスタ１０４およびスイッチング用ＦＥＴ１０３がオンして、ヘッド電源電圧ＨＶＨはスイッチング用ＦＥＴ１０３を通じて記録ヘッド３へ供給される。スイッチング用ＦＥＴ１０３のオン抵抗は極めて低いため、記録ヘッド３が記録動作を行い電源に駆動電流が流れるときでも、ヘッド電源電圧ＨＶＨの変動は小さく安定している。記録ヘッド３は電源電圧２４Ｖが供給された後、Ｓ５において記録装置による印刷動作を開始する。記録動作が終了すると、ＣＰＵ１０２は出力ポートＰＯ１およびＰＯ２を“Ｌ”レベルにして（Ｓ６）記録ヘッドへの電力供給を停止する。
【００３１】
ＣＰＵ１０２はＳ３において入力ポートＰＩ１が“Ｌ”レベルであれば、Ｓ７において出力ポートＰＯ１を“Ｌ”レベルに戻す。トランジスタ１１１および１１０がオフ状態になり、プッシュプル回路１０８は電解コンデンサ１０５の電荷を放電する。
【００３２】
ＣＰＵ１０２はＳ８において、本体をエラー状態にするためのエラーフラグをセットする。その後、ＣＰＵ１０２は記録装置本体の表示装置にエラーが発生していることを表示し、記録装置本体をエラー状態に置く。
【００３３】
図４は、記録ヘッドへの電力供給動作を示すタイミングチャート図である。ｔ１においてＣＰＵ１０２が出力ポートＰＯ１を“Ｈ”レベルにすることにより、信号ＶＨ＿ＰＲＥが“Ｈ”レベルとなり、プッシュプル回路１０８を通じて電解コンデンサ１０５への充電が開始される。ヘッド電源電圧ＨＶＨは電解コンデンサ１０５と抵抗１０９によって決まる時定数に従って立ち上がる。従来は、電源電圧２４Ｖが、スイッチング用ＦＥＴによって直接ヘッド電源電圧ＨＶＨオンの状態となっていた。オンとなる以前のＨＶＨは０Ｖであるため、電源電圧との電圧差が大きく、この電圧差が、ヘッドへの電源オン時の突入電流となっていた。本発明では、電解コンデンサ１０５とプッシュプル回路１０８および抵抗１０９によって、電流が制限される。電源電圧１０１と、ヘッド電源電圧ＨＶＨとの差を徐々に緩和することで、ヘッドへの突入電流が発生しにくい構成となっている。
【００３４】
ＣＰＵ１０２はｔ２まで２秒間待機することにより、ヘッド電源電圧ＨＶＨは電源電圧の２４Ｖ近くまで立ち上がる。本実施例での２秒間とは、先に説明した所定時間であり、コンデンサ１０５が徐々に充電され、ＨＶＨとして、２４Ｖ近くになる状態に要する時間のことを意味する。
【００３５】
電源電圧ＨＶＨは抵抗１１２と抵抗１１３によって分圧され、ＣＰＵ１０２で読み取れるレベルの信号ＶＨ＿ＳＮＳとしてＣＰＵ１０２の入力ポートＰＩ１に入力されている。ＣＰＵ１０２はｔ２において入力ポートＰＩ１の状態を読み取る。ｔ２の状態ではＨＶＨはわずかに２４Ｖを下回っているが、入力ポートＰＩ１の状態は“Ｈ”レベルと認識される。
【００３６】
ＣＰＵ１０２はｔ３において出力ポートＰＯ２を“Ｈ”レベルにすることにより、信号ＶＨ＿ＣＮＴが“Ｈ”レベルとなり、スイッチング用ＦＥＴ１０３がオンして記録ヘッドに電力が供給される。図４のｔ２でＨＶＨは２４Ｖをわずかに下回っているが、スイッチング用ＦＥＴ１０３がオンとなった段階で２４Ｖに達する。従来と比較して非常にわずかな突入電流となっている。
【００３７】
記録装置１はｔ３からｔ４まで記録動作を実施する。ｔ４において記録動作が終了すると、ＣＰＵ１０２は出力ポートＰＯ１およびＰＯ２を“Ｌ”レベルにして、記録ヘッドへの電力供給を停止する。プッシュプル回路１０８を通じて電解コンデンサ１０５が放電され、ヘッド電源電圧ＨＶＨが低下する。
【００３８】
本実施例では、ヘッド電源電圧検出回路として、ヘッド電源電圧ＨＶＨが、抵抗１１２と抵抗１１３により分圧された後、ＣＰＵ１０２に入力される構成となっている。
【００３９】
図５は、図３のＳ３においての、入力ポートＰＩ１の状態が“Ｈ”となっていないフロー（Ｓ７以降）の、記録ヘッドへの電力供給動作を示すタイミングチャート図である。ｔ１においてＣＰＵ１０２が出力ポートＰＯ１を“Ｈ”レベルにすることは図４と同じである。しかし、記録ヘッドが先に説明したように、ショート状態にある場合、ヘッド電源電圧ＨＶＨは抵抗１０９と記録ヘッドのショート抵抗分との分圧状態となり十分に上昇しない。このとき記録ヘッドに流れる電流は、抵抗１０９で抑制されるため、過大な電流が流れることはない。
【００４０】
ＣＰＵ１０２はｔ２において入力ポートＰＩ１の状態を“Ｌ”レベルと認識する。
【００４１】
ＣＰＵ１０２はｔ３において出力ポートＰＯ１状態を“Ｌ”レベルに戻す（Ｓ７）。プッシュプル回路１０８を通じて電解コンデンサ１０５は放電される。放電が完了した後は、記録ヘッドに電流が流れることはない。
【００４２】
このように記録ヘッドへの電力供給をオンする際に、記録ヘッドがショート状態であっても、記録ヘッドに流れる電流は抵抗１０９で抑制されるために過大な電流が流れることはない。
【００４３】
（第２の実施例）
本発明を適用可能なインクジェット記録装置として、電源供給装置であるバッテリパックと、電源供給装置に接続される機器としてのプリンタがある。バッテリパックは記録装置に対して着脱可能な構成となっている。
【００４４】
図６において、１１は、プリンタ１２に取り付けられてプリンタへ電源を供給する電源供給手段としてのバッテリケースであり、内部に電源としてのバッテリパックを備えている。
【００４５】
バッテリケース１１は、プリンタ１２の外装に簡単に取付けられる機構を有している。そして、上記バッテリケース１１は、プリンタ１２の上カバー１３の動きと連動した電源スイッチ１４を有している。次に、この電源スイッチ１４の機能を説明する。
【００４６】
まず、図６（ａ）に示すように、プリンタ１２を使用しない場合、上カバー１３は閉状態にあり、電源スイッチ１４は開放されている。この時、電源スイッチ１４は、バッテリケース１１の電源出力をオフにし、プリンタ１２へ電源を供給しないように構成されている。
【００４７】
次に、プリンタ１２を使用するときは、図６（ｂ）に示すように上カバー１３を開いた状態にし、電源スイッチ１４は、上カバー１３により上から押された状態となる。この時、電源スイッチ１４はバッテリケース１１の電源出力をオンとしてプリンタ１２へ電源の供給を行っている。
【００４８】
このように、バッテリによるプリンタ本体への電源オンオフの制御を行なった後に、記録ヘッドへの電力供給オンの制御に入る構成であっても構わない。
【００４９】
図７はこのようなプリンタのバッテリケース１１の詳細を示す外観斜視図であり、図７（ａ）はプリンタ１２と接続される側から見た図であり、図７（ｂ）は装置の後方から見た図を示している。
【００５０】
図７において、１４は前述の如くバッテリスイッチであり、プリンタを使用する際にプリンタ１２の上カバー１３を開くとバッテリスイッチ１４が押し下げられてオンとなり、バッテリケース１１の電源がプリンタ１２へ電力として供給される。１５は電源であるバッテリが装着されるバッテリ取り付け部であり、不図示のバッテリパックが着脱可能な構成としている。このバッテリケース１１に取り付けられるバッテリパックの電源は充電することにより再度使用可能になる充電方式の電源を使用している。１８は電源プラグであり、プリンタ１２に装着される際に、プリンタ１２に設けられる不図示の接続部に接続して電源の供給を行う。また、バッテリケース１１は、固定ネジによってプリンタ１２に固定されるよう構成されている。
【００５１】
１９はインターフェースカバーであり、プリンタ１０２へ接続して印字用のデータ等の転送を行うインターフェースケーブルを着脱する際にこのインターフェースカバー１９を開くことによって着脱を容易に行えるよう構成されている。
【００５２】
図７（ｂ）は、バッテリケース１１を、図７（ａ）とは異なる方向から見た外観斜視図であり、前述のインターフェースカバー１６を開いた状態を示している。２０はアダプタ接続部であり、家庭用電源等からの電源をプリンタ１２用に供給するための不図示のＡＣアダプタからのプラグを接続する。また、このバッテリパック１１は、アダプタ接続部に接続されるＡＣアダプタからの電源によってバッテリパックの充電が可能なように構成されている。また、ＡＣアダプタ接続時には、バッテリパックからプリンタ１２への電源の供給を行わず、ＡＣアダプタからの電源供給を優先するよう構成してもよい。
【図１】
0005265044.tif 000002
【図２】
0005265044.tif 000003
【図３】
0005265044.tif 000004
【図４】
0005265044.tif 000005
【図５】
0005265044.tif 000006
【図６】
0005265044.tif 000007
【図７】
0005265044.tif 000008